(57)【要約】【課題】  極性反転が生じない光ファイバーの電話回線においても、電話の使用時間に対して正確な課金する構内電話機用の課金装置を提供する。【解決手段】    構内電話機に接続する電話回線から信号音を検出する信号音検知手段とともに、構内電話機のフックによる回線の接続と切断との状態を検知するフック接続検知手段とを設け、構内電話の呼出信号音を信号音検知手段によって検知し、該呼出信号音が停止し、フック接続検知手段によりフックが上がって回線に接続されていることを条件として、相手に接続していると判断して課金を開始し、課金停止においては、信号音検出手段によって相手の切断信号音を検知し、又はフック接続検知手段によってフックが下がって回線が遮断していることを検知して課金を停止する構内電話機用の課金装置【選択図】図１
2009278485.tif 000002
【特許請求の範囲】
【請求項１】
プリペードカードを利用して構内電話機の使用時間に対して課金し制御するカードリーダー部を設けた課金装置において、
構内電話機に接続する電話回線から信号音を検出する信号音検知手段とともに、構内電話機のフックによる回線の接続と切断との状態を検知するフック接続検知手段とを設け、
課金開始においては、構内電話の呼出信号音を信号音検知手段によって検知し、該呼出信号音が停止したことを検知した場合であって、フック接続検知手段によりフックが上がって回線に接続されていることを条件として、相手に接続していると判断して課金を開始するとともに、
課金停止においては、信号音検出手段によって相手の切断信号音を検知し、又はフック接続検知手段によってフックが下がって回線が遮断していることを検知して課金を停止することを特徴とする構内電話機用の課金装置
【発明の詳細な説明】
【技術分野】
【０００１】
本発明は、病院、あるいは、病院と同じようなベッドのある老人ホーム、介護施設等の施設に設置される構内電話機を接続する課金装置の技術分野に属する。
【背景技術】
【０００２】
従来、病院、あるいは、病院と同じようなベッドのある老人ホーム、介護施設等の施設には、テレビ、冷蔵庫、洗濯機、乾燥機等の電化製品や電話設備を使用するに際して、これらの稼働をプリペードカードを利用して使用時間を計算して課金し制御する課金装置が設置されている場合が多い。
ところで、この種の課金装置に構内電話機を接続する場合に、通常の電話機とは異なり、外部電話回路(例えば、商標登録：ＮＴＴの回線）は一旦ＰＢＸ(Private Branchh Exchange:構内交換機)に接続し、この管理ＰＢＸから構内電話回線に接続するが、この構内電話回線は個々の構内電話機に接続しており、個々の構内電話機の使用時間の課金は、特許文献１に開示されているように、送受話器を取り上げて相手に接続した時および電話を切った時に電話回線の極性が反転することを利用し、極性の反転時から課金を開始し、再び電話回線の極性反転時に課金を停止するようにしている。
【０００３】
ところで、近時、電話料金は外部回線の中央管理部で算出するともに、外部や構内ともに電話回線を光ファイバーに代える工事が進行していることから、従来の構内電話機の光ファイバーの電話回線では、電流を流すことが出来ないため極性反転がなされず、この場合に課金の算出を行うことができない。
このため、光ファイバーの電話回線では、フック接続検知手段によりフックが上がって３０秒経過すれば、相手と接続したと見なして課金を開始し、フックが下がった時に相手との接続が遮断されたと見なして課金を停止していた。
【特許文献１】特許第３０６６０１１号公報
【発明の開示】
【発明が解決しようとする課題】
【０００４】
しかし、上述のような従来技術のように、フックのＯＮ／ＯＦＦでの課金は、フックＯＮ後の３０秒前に相手に接続しても課金されず、逆に、３０秒たって接続していなくとも課金されてしまうという不都合が生じる。
また、課金の停止において、相手が受話器を置いて接続を切っても、こちらのフックを下ろしてＯＦＦにしない限り課金が続行してしまうという不都合もあった。
そこで、本発明は、上記のような不都合に鑑みてなされたもので、極性反転が生じない光ファイバーの電話回線においても、構内電話機の使用時間をより正確に検出して、その使用時間に対して課金する構内電話機用の課金装置を提供することにある。
【課題を解決するための手段】
【０００５】
上記の課題を解決するために、請求項１の発明は、プリペードカードを利用して構内電話機の使用時間に対して課金し制御するカードリーダー部を設けた課金装置において、
構内電話機に接続する電話回線から信号音を検出する信号音検知手段とともに、構内電話機のフックによる回線の接続と切断との状態を検知するフック接続検知手段とを設け、
課金開始においては、構内電話の呼出信号音を信号音検知手段によって検知し、該呼出信号音が停止したことを検知した場合であって、フック接続検知手段によりフックが上がって回線に接続されていることを条件として、相手に接続していると判断して課金を開始するとともに、
課金停止においては、信号音検出手段によって相手の切断信号音を検知し、又は、フック接続検知手段によってフックが下がって回線が遮断していることを検知して課金を停止することを特徴とする構内電話機用の課金装置である。
【発明の効果】
【０００６】
本発明によれば、構内電話機に使用する課金装置において、極性反転が生じない光ファイバーの電話回線においても、構内電話機の使用時間をより正確に検出して、その使用時間に対して課金することができる。
【発明を実施するための最良の形態】
【０００７】
本発明の好適な構内電話機用の課金装置の実施例を説明するが、構内電話機用のカードタイマーは、多くは病院等のベッドの近傍に配置される床頭台に設置されるもので、通常、構内電話機以外にもテレビや冷蔵庫や洗濯機にも課金する構成であるが、ここでは、構内電話機を接続する場合に、電話使用時間に課金する構成を図に沿って説明する。
図１は、本実施例の構内電話機用の課金装置のブロック図で、構内電話機Ａは、ＮＴＴ(商標登録)等の外部電話回線ＢとＰＢＸ及び構内電話回線Ｃを介して接続されている。
構内電話機Ａは、送受話器１１はフックスイッチ１２を作用させ、このフックスイッチ１２にはオンフックとオフフックを判別するフックＯＮ／ＯＦＦ検出回路１３が設けられたフック接続検知手段１が構成され、送受話器１１が上がるとフックがＯＮとなって構内電話回線Ｃに接続し、送受話器１１を下げるとフックがＯＦＦとなって構内電話回線Ｃから遮断される。また、通常の番号入力機能や表示機能を有している。
また、構内電話機用の課金装置の課金計算部分は主に課金回路４とカードリーダー５と課金状態を表示する表示装置６とから構成され、この部分は公知のカードタイマーとほぼ同様で、カードタイマーの前面には従来より知られているプリぺードカードを挿入する挿入口や、プリぺードカードを返却するカード返却押しボタンが設けられ、表示装置６にはプリペードカードの残度数表示部等が配置されている。
【０００８】
次に、この課金回路４には課金開始信号によって残度数が減算され、課金終了信号により残度数が減算を停止するが、この課金開始・終了信号を発生する構成を説明する。
光ファイバーの構内電話回線Ｃのように極性反転がなされない場合は、課金開始信号を発生する回路は、信号(呼出・切断)音増幅回路２１、呼出・切断音検出回路２２、接続(呼出)音判別回路２３、切断音判別回路２４とからなる信号音検知手段２と課金開始回路３１から構成される。先ず、信号音増幅回路２１は構内電話回線Ｃに接続され、構内電話回線Ｃから得られる微小な呼出信号を含む信号音を信号音増幅回路２１で増幅し、呼出・切断音検出回路２２でその信号音の中から電話の相手への呼出音である４００Hzの所定間隔の断続音(呼出音)をフィルター等を用いて抽出する。
次に、呼出・切断音検出回路２２で抽出された４００Hzの断続音の間隔は、通常は最大２秒間隔の繰り返し信号であるので、２.５秒以上呼出音が検出されない場合は、相手が送受話器を上げて応答したか、こちらが送受話器１１を置いて回線を切断したかのどちらかであるので、接続(呼出)音判別回路２３では、２.５秒以上呼出音が検出されない場合であって、かつ、フックが上がっている状態を判別して、この場合にのみ課金開始回路３１に信号を出力し、課金開始回路３１では所定の課金開始信号を生成して前記課金回路４に入力して残度数が減算される。
ここで、相手が送受話器をフックスイッチに置くと、相手の電話は切れて切断音である４００Hzの連続信号音が発生するので、切断音判別回路２４でこれを検出し、課金終了回路３２に入力して所定の課金終了信号を生成し、前記課金回路４に入力して残度数減算を停止する。
【０００９】
また、本実施例では、従来の極性反転の電話回路にも対応させるため、極性反転検出回路７１と課金開始・終了回路７２とが設けられている。このシステムは、従来の課金システムと同様の構成で、構内電話機が相手と接続すると従来の金属ケーブル構内電話回線Ｃでは電源電極の正負の極性反転を発生するが、極性反転検出回路７１ではこの極性反転を検知する。この検知された極性反転信号を課金開始・停止回路７２に入力し、この課金開始・停止回路７２では所定の課金開始信号に生成して前記課金回路４に入力して残度数が減算され、この結果を表示装置６にその数値が表示される。
逆に、構内電話機でＮＴＴ(登録商標)等の外部電話回線Ｂを介した相手が、電話を切った場合でも、電源の電極正負の極性反転を発生するので、極性反転検出回路７１ではこれを検知し、この信号を課金開始・停止回路７２に入力し、この課金開始・停止回路７２では所定の課金終了信号を生成して前記課金回路４に入力して残度数減算を停止し、表示装置６の数値の進行が停止する。
【００１０】
以上の処理工程を、図２のフローチャートを用いて説明する。
本実施例の構内電話機Ａで、スタートで所定の相手に電話を掛ける場合、先ず、ステップＳ１で送受話器１１を上げることによってフックも上がり、電話を掛ける状態にし、ステップＳ２で使用者は相手番号を入力すると相手に接続可能状態になり、ステップＳ３で４００Hzの所定間隔の断続音送信する。
ここで、本実施例の構内電話機Ａでは、従来の極性反転が送信される金属線の場合でも使用可能とする構成なので、ステップＳ４では構内電話回線Ｃでの極性反転の有無を検知し、極性反転があった場合(Yes)には後述するステップＳ４１に移るが、光ファイバー電話回線のように極性反転がなされない場合(No)にはステップＳ５に進み、このステップＳ５ではステップＳ３で発生した４００Hzの約２秒の間隔の断続呼出音を検知し、この２秒間隔より若干長い約２.５秒(所定間隔)待って呼出音が検出されていれ(Yes)ばステップＳ５１に進み、ステップＳ５１で依然としてフックが上がって使用者が相手を呼び出していれば(Yes)ステップＳ４に戻り、ステップＳ４の極性反転を監視した後ステップＳ５で断続呼出音を監視する。なお、ステップＳ５１でフックが下げられて(No)いれば使用者は電話機を使用していなので、課金作業をしないで通話作業を終了する。
【００１１】
ステップＳ５で所定間隔の約２.５秒に４００Hzの呼出音で検出されなければ(No)、すなわち、相手の電話機に接続したことになるので、ステップＳ６に進み課金回路４に開始信号を入力して課金を開始する。
ステップＳ６で課金回路４により残度数が減算され、課金が進行している過程でステップＳ７に進むが、ステップＳ７では相手が送受話器を置くと、切断音である４００Hzの連続信号音が発生しこれを切断音判別回路２４で検知するが、検知しなければ(No)ステップＳ７１に進み、ステップＳ７１でフックが上がっていて(Yes)通話中であれば元にもどって課金作業を続ける。なお、ステップＳ７１で送受話器１１が置かれフックが下がっていれば(No)、通話が終了しているので、ステップＳ８に進み通話終了信号を課金回路４に入力して残度数減算を停止して、この工程を終了する。
前記ステップＳ７で、切断音である４００Hzの連続信号音が発生しこれを切断音判別回路２４で検知するが、検知すれば(Yes)通話が終了したことになるので、ステップＳ８に進み、通話終了信号を課金回路４に入力して残度数減算を停止して、この工程を終了する。
【００１２】
ここで、ステップＳ４に戻って説明すると、ステップＳ４では構内電話回線Ｃでの極性反転の有無を極性反転検出回路７１で検知し、極性反転があった場合(Yes)にはステップＳ４１に移る。ステップＳ４１では、従来の公知技術のように、相手に接続したことになるので、進み課金開始・終了回路７２から課金回路４に開始信号を入力して課金を開始する。
通話中はステップＳ４２に進み構内電話回線Ｃに再度極性反転があるか否かを極性反転検出回路７１で検知し、再度極性反転がある場合(Yes)は、従来のように、相手が電話を切ったことになるので、ステップＳ８に進み、通話終了信号を課金回路４に入力して残度数減算を停止して、この工程を終了する。
前記ステップＳ４２で、再度極性反転がない場合(No)は、相手が送受話器を置かないで引き続き通話中でステップＳ４３に進み、このステップＳ４３では、電話機のフックの状態を検出して、フックが上がっていれば(Yes)引き続き通話中であるのでステップＳ４１に戻って課金作業を続ける。また、ステップＳ４３でフックが上がっていなければ(No)通話は終了したので、ステップＳ８に進み通話終了信号を課金回路４に入力して残度数減算を停止して、この工程を終了する。
以上が本実施例の工程のフローである。
【００１３】
このように、本発明の実施例によれば、従来の極性反転が伝送される構内電話回線に対しては勿論のこと、極性反転が生じない光ファイバーの電話回線においても、構内電話機の使用時間をより正確に検出して、その使用時間に対して課金することができる。
なお、本発明の特徴を損なうものでなければ、上記の実施例に限定されるものでないことは勿論である。例えば、病院等の構内電話Ａの実施例について説明したが、商用の外部電話回線から更に施設内に独自に光ファイバー等で接続した電話機に適用しても良いことは勿論である。
【図面の簡単な説明】
【００１４】
【図１】本発明の実施例の構内電話機と課金装置のブロック図
【図２】本発明の実施例の構内電話機の作動フローチャート図である。
【符号の説明】
【００１５】
Ａ…構内電話機、Ｂ…外部(ＮＴＴ(商標登録)等)電話回線、Ｃ…構内電話回線
１…フック接続検知手段、11……送受話器、12フックスイッチ、
13…フックＯＮ／ＯＦＦ検出回路、
２…信号音検知手段、21…信号(呼出・切断)音増幅回路、
22…呼出・切断音検出回路、23…接続(呼出)音判別回路、24切断音判別回路、
31課金開始回路、32…課金終了回路、
４…課金回路、５…カードリーダー、６…表示装置、
71…極性反転検出回路、72…課金開始・終了回路、
【図１】
2009278485.tif 000003
【図２】
2009278485.tif 000004